(57)【要約】【課題】見掛け比重に大きな差がない複数種類の原料を含む処理物を、その原料の種類毎に高い精度で選別する。【解決手段】篩い部１１を有するスクリーン１０ａ，１０ｂを複数備え、一のスクリーン１０ａの前記篩い部１１は、他のスクリーン１０ｂの前記篩い部１１よりも粗いメッシュで、その各スクリーン１０ａ，１０ｂの篩い部１１の他端側に風力選別部２０を設け、その風力選別部２０よりも他端側に排出手段１２を設けた。一のスクリーン１０ａ上に供給された処理物は、その一部が前記一のスクリーン１０ａの篩い部１１のメッシュを通過して前記他のスクリーン１０ｂ上に供給されるとともに、メッシュを通過しない残余の処理物の一部は、前記一のスクリーン１０ａに設けた前記風力選別部２０で吸引され、吸引されない残余の処理物は前記排出手段１２から外部へ排出される。また、メッシュの異なる他のスクリーン１０ｂ上においても、同じ工程が繰り返される。【選択図】図１
2011194277.tif 000002
【特許請求の範囲】
【請求項１】
篩い部（１１）のメッシュの粗さの異なる複数のスクリーン（１０；１０ａ，１０ｂ・・・）と、給気フード（２１；２１ａ，２１ｂ・・・）と吸引フード（２２；２２ａ，２２ｂ・・・）とを備えた風力選別部（２０；２０ａ，２０ｂ・・・）を用い、
一のスクリーン（１０ａ）上に供給された処理物を、前記一のスクリーン（１０ａ）の篩い部（１１ａ）のメッシュを通過するものと通過しないものとに分離する工程と、前記一のスクリーン（１０ａ）の篩い部（１１ａ）のメッシュを通過した処理物を、相対的にメッシュの細かい篩い部（１１ｂ）を備えた他のスクリーン（１０ｂ）上に供給する工程と、前記一のスクリーン（１０ａ）の篩い部（１１ａ）のメッシュを通過しなかった処理物に対して風力選別を行う工程と、
前記他のスクリーン（１０ｂ）上に供給された処理物を、前記他のスクリーン（１０ｂ）の篩い部（１１ｂ）のメッシュを通過するものと通過しないものとに分離する工程と、前記他のスクリーン（１０ｂ）の篩い部（１１ｂ）のメッシュを通過した処理物を次工程に供給する工程と、前記他のスクリーン（１０ｂ）の篩い部（１１ｂ）のメッシュを通過しなかった処理物に対して風力選別を行う工程とを備えたことを特徴とする風力選別方法。
【請求項２】
篩い部（１１）のメッシュの粗さの異なる複数のスクリーン（１０；１０ａ，１０ｂ・・・）と、給気フード（２１；２１ａ，２１ｂ・・・）と吸引フード（２２；２２ａ，２２ｂ・・・）とを備えた風力選別部（２０；２０ａ，２０ｂ・・・）を用い、
一のスクリーン（１０ａ）上に供給された処理物を、前記一のスクリーン（１０ａ）の篩い部（１１ａ）のメッシュを通過するものと通過しないものとに分離する工程と、前記一のスクリーン（１０ａ）の篩い部（１１ａ）のメッシュを通過しなかった処理物を、相対的にメッシュの粗い篩い部（１１ｂ）を備えた他のスクリーン（１０ｂ）上に供給する工程と、前記一のスクリーン（１０ａ）の篩い部（１１ａ）のメッシュを通過した処理物に対して風力選別を行う工程と、
前記他のスクリーン（１０ｂ）上に供給された処理物を、前記他のスクリーン（１０ｂ）の篩い部（１１ｂ）のメッシュを通過するものと通過しないものとに分離する工程と、前記他のスクリーン（１０ｂ）の篩い部（１１ｂ）のメッシュを通過しなかった処理物を次工程に供給する工程と、前記他のスクリーン（１０ｂ）の篩い部（１１ｂ）のメッシュを通過した処理物に対して風力選別を行う工程とを備えたことを特徴とする風力選別方法。
【請求項３】
一端から他端に向かって下り勾配又は水平に設けられたスクリーン（１０；１０ａ，１０ｂ・・・）を複数備え、前記各スクリーン（１０；１０ａ，１０ｂ・・・）はそれぞれ篩い部（１１）を備えて、一のスクリーン（１０ａ）の前記篩い部（１１ａ）は、他のスクリーン（１０ｂ）の前記篩い部（１１ｂ）よりも粗いメッシュとなっており、前記各スクリーン（１０；１０ａ，１０ｂ・・・）の前記篩い部（１１；１１ａ，１１ｂ・・・）の他端側に、給気フード（２１；２１ａ，２１ｂ・・・）と吸引フード（２２；２２ａ，２２ｂ・・・）とを備えた風力選別部（２０；２０ａ，２０ｂ・・・）を設け、その風力選別部（２０；２０ａ，２０ｂ・・・）よりも他端側に排出手段（１２；１２ａ，１２ｂ・・・）を設け、
前記一のスクリーン（１０ａ）上に供給された処理物は、その一部が前記一のスクリーン（１０ａ）の篩い部（１１ａ）のメッシュを通過して前記他のスクリーン（１０ｂ）上に供給されるとともに、メッシュを通過しない残余の処理物の一部は、前記一のスクリーン（１０ａ）に設けた前記風力選別部（２０ａ）で前記吸引フード（２２ａ）に吸引され、吸引されない残余の処理物は前記一のスクリーン（１０ａ）の前記排出手段（１２ａ）から外部へ排出され、
前記他のスクリーン（１０ｂ）上に供給された処理物は、その一部が前記他のスクリーン（１０ｂ）の篩い部（１１ｂ）のメッシュを通過して次工程へ供給されるとともに、メッシュを通過しない残余の処理物の一部は、前記他のスクリーン（１０ｂ）に設けた前記風力選別部（２０ｂ）で前記吸引フード（２２ｂ）に吸引され、吸引されない残余の処理物は前記他のスクリーン（１０ｂ）の前記排出手段（１２ｂ）から外部へ排出されることを特徴とする風力選別機。
【請求項４】
一端から他端に向かって下り勾配又は水平に設けられたスクリーン（１０；１０ａ，１０ｂ・・・）を複数備え、前記各スクリーン（１０；１０ａ，１０ｂ・・・）はそれぞれ篩い部（１１）を備えて、一のスクリーン（１０ａ）の前記篩い部（１１ａ）は、他のスクリーン（１０ｂ）の前記篩い部（１１ｂ）よりも細かいメッシュとなっており、前記各スクリーン（１０；１０ａ，１０ｂ・・・）の前記篩い部（１１；１１ａ，１１ｂ・・・）の下方に誘導手段（１３；１３ａ，１３ｂ・・・）を設け、その誘導手段（１３；１３ａ，１３ｂ・・・）に、給気フード（２１；２１ａ，２１ｂ・・・）と吸引フード（２２；２２ａ，２２ｂ・・・）とを備えた風力選別部（２０；２０ａ，２０ｂ・・・）を設け、その風力選別部（２０；２０ａ，２０ｂ・・・）よりも他端側に排出手段（１２；１２ａ，１２ｂ・・・）を設け、
前記一のスクリーン（１０ａ）上に供給された処理物は、その一部が前記一のスクリーン（１０ａ）の篩い部（１１ａ）のメッシュを通過してさらにその通過した処理物の一部が前記一のスクリーン（１０ａ）下部の前記誘導手段（１３ａ）に設けた前記風力選別部（２０ａ）で前記吸引フード（２２ａ）に吸引され、吸引されない残余の処理物は、前記一のスクリーン（１０ａ）の前記排出手段（１２ａ）から外部へ排出され、メッシュを通過しない残余の処理物は、前記他のスクリーン（１０ｂ）上に供給されるとともに、
前記他のスクリーン（１０ｂ）上に供給された処理物は、その一部が前記他のスクリーン（１０ｂ）の篩い部（１１ｂ）のメッシュを通過してさらにその通過した処理物の一部が前記他のスクリーン（１０ｂ）下部の前記誘導手段（１３ｂ）に設けた前記風力選別部（２０ｂ）で前記吸引フード（２２ｂ）に吸引され、吸引されない残余の処理物は、前記他のスクリーン（１０ｂ）の前記排出手段（１２ｂ）から外部へ排出され、メッシュを通過しない残余の処理物は次工程へ供給されることを特徴とする風力選別機。
【請求項５】
前記各スクリーン（１０；１０ａ，１０ｂ・・・）は、互いに高さの異なる位置に配置されて、前記他のスクリーン（１０ｂ）が前記一のスクリーン（１０ａ）よりも下方に設けられていることを特徴とする請求項３又は４に記載の風力選別機。
【請求項６】
前記一のスクリーン（１０ａ）の前記風力選別部（２０ａ）による処理物の吸引力と、前記他のスクリーン（１０ｂ）の前記風力選別部（２０ｂ）による処理物の吸引力とは、異なる強さに設定されていることを特徴とする請求項３乃至５のいずれか一つに記載の風力選別機。
【請求項７】
前記他のスクリーン（１０ｂ）は、前記一のスクリーン（１０ａ）の直下の位置よりも他端寄りに配置されていることを特徴とする請求項３乃至６のいずれか一つに記載の風力選別機。
【請求項８】
前記他のスクリーン（１０ｂ）は、前記一のスクリーン（１０ａ）の直下に配置されていることを特徴とする請求項３乃至６のいずれか一つに記載の風力選別機。
【請求項９】
前記各スクリーン（１０；１０ａ，１０ｂ・・・）の前記篩い部（１１；１１ａ，１１ｂ・・・）は、多孔板で構成されていることを特徴とする請求項３乃至８のいずれか一つに記載の風力選別機。
【請求項１０】
前記各スクリーン（１０；１０ａ，１０ｂ・・・）の前記篩い部（１１；１１ａ，１１ｂ・・・）は、織網で構成されていることを特徴とする請求項３乃至８のいずれか一つに記載の風力選別機。
【請求項１１】
前記各スクリーン（１０；１０ａ，１０ｂ・・・）の前記風力選別部（２０；２０ａ，２０ｂ・・・）は、前記給気フード（２１；２１ａ，２１ｂ・・・）の上端に可撓性のある素材からなるシール部材（２３）を備え、そのシール部材（２３）を介して前記給気フード（２１；２１ａ，２１ｂ・・・）が前記各スクリーン（１０；１０ａ，１０ｂ・・・）の下面に対向していることを特徴とする請求項３乃至１０のいずれか一つに記載の風力選別機。
【発明の詳細な説明】
【技術分野】
【０００１】
この発明は、一般廃棄物や建設廃棄物などの各種処理施設に使用する廃棄物の選別機に関するものであり、特に、比重の異なる複合廃棄物を風力を用いて選別する風力選別機に関するものである。
【背景技術】
【０００２】
従来より、この種の選別機として、振動を利用したふるい機が多く利用されている。振動を利用したふるい機としては、その使い方や型式として種々のものがあり、その中で、例えば、特許文献１に示すように、振動と風力とを併用した風力選別機もある。
【０００３】
この振動ふるい機の構成は、一端から他端に向かって下り勾配にスクリーンを傾斜して設け、そのスクリーンを機械的手段により振動できるようにしている。そのスクリーンの一端側にふるい部を形成し、他端側に多孔部を形成する。その多孔部を夾んで、下方に給気フードが設けられ、上部に吸引フードが設けられる。
【０００４】
スクリーン上の一端側に供給された処理物が、ふるい部での振動により不燃物と可燃物とにふるい分けされる。すなわち、ふるい部の穴を下方に向かって通り抜けた石、コンクリート、陶器、ガラス、などの砕片からなる不燃物は、排出シュートを経て回収される。また、ふるい部上の可燃物は、傾斜面に沿って他端の多孔部へ移行する。
【０００５】
多孔部において、給気フードから供給される空気が上方へ吹き上がることにより、プラスチック、細かい木片および紙類などの軽量な可燃物は浮上し、空気とともに吸引フードを経て回収される。また、浮上しない比較的重いもの、主として木片、一部混在する針金、ゴム片等は、スクリーンの終端に設けた落下口から排出シュート内に落下し回収される（例えば、特許文献１参照）。
【先行技術文献】
【特許文献】
【０００６】
【特許文献１】特開平９−２７６８０１号公報
【発明の概要】
【発明が解決しようとする課題】
【０００７】
上記の風力選別機によれば、特に、見掛け比重に大きな差がない複数種類の原料を含む処理物を、その原料の種類毎に高い精度で選別することができないという問題がある。
【０００８】
これは、例えば、比重の異なる異種の原料同士であっても、それらの見掛け比重がある程度近似していると、その原料の形状等によって定まる形状係数や、その原料の風の流れに直交する最大断面積等との関連において、その原料の終末速度（その物体がその風の流れ上で静止できる最終の風速）が著しく近似してしまうからである。
【０００９】
このため、僅かながらの見かけ比重の差異はあっても、風力によってその異種の原料が同時に浮上してしまう場合がある。このような状況では、処理物の中に混在する異種の原料同士を高精度に選別を行うことができない。
【００１０】
そこで、この発明は、見掛け比重に大きな差がない複数種類の原料を含む処理物を、その原料の種類毎に高い精度で選別することを課題とする。
【課題を解決するための手段】
【００１１】
上記の課題を解決するために、この発明は、篩い部を経由させて処理物の粒径を揃えることによって、前記形状係数、前記風の流れに直交する最大断面積等の原料の終末速度の決定に寄与する要因を揃えた後、風力選別部においてその風力によって、異種の原料の選別を行うようにしたのである。
形状係数、断面積等の処理物の終末速度の決定に寄与する要因を揃えたことによって、その処理物に含まれる異種の原料の各終末速度は、見掛け比重による寄与度が高まることになる。このため、その僅かな見掛け比重の差に基づいて、見掛け比重差の少ない原料同士を高い精度で風力選別することが可能になる。
【００１２】
具体的な風力選別方法の構成としては、篩い部のメッシュの粗さの異なる複数のスクリーンと、給気フードと吸引フードとを備えた風力選別部を用い、一のスクリーン上に供給された処理物を、前記一のスクリーンの篩い部のメッシュを通過するものと通過しないものとに分離する工程と、前記一のスクリーンの篩い部のメッシュを通過した処理物を、相対的にメッシュの細かい篩い部を備えた他のスクリーン上に供給する工程と、前記一のスクリーンの篩い部のメッシュを通過しなかった処理物に対して風力選別を行う工程と、前記他のスクリーン上に供給された処理物を、前記他のスクリーンの篩い部のメッシュを通過するものと通過しないものとに分離する工程と、前記他のスクリーンの篩い部のメッシュを通過した処理物を次工程に供給する工程と、前記他のスクリーンの篩い部のメッシュを通過しなかった処理物に対して風力選別を行う工程とを備えたことを特徴とする風力選別方法を採用することができる。
【００１３】
また、他の風力選別方法の構成としては、篩い部のメッシュの粗さの異なる複数のスクリーンと、給気フードと吸引フードとを備えた風力選別部を用い、一のスクリーン上に供給された処理物を、前記一のスクリーンの篩い部のメッシュを通過するものと通過しないものとに分離する工程と、前記一のスクリーンの篩い部のメッシュを通過しなかった処理物を、相対的にメッシュの粗い篩い部を備えた他のスクリーン上に供給する工程と、前記一のスクリーンの篩い部のメッシュを通過した処理物に対して風力選別を行う工程と、前記他のスクリーン上に供給された処理物を、前記他のスクリーンの篩い部のメッシュを通過するものと通過しないものとに分離する工程と、前記他のスクリーンの篩い部のメッシュを通過しなかった処理物を次工程に供給する工程と、前記他のスクリーンの篩い部のメッシュを通過した処理物に対して風力選別を行う工程とを備えたことを特徴とする風力選別方法を採用することができる。
【００１４】
また、具体的な風力選別機の構成としては、一端から他端に向かって下り勾配又は水平に設けられたスクリーンを複数備え、前記各スクリーンはそれぞれ篩い部を備えて、一のスクリーンの前記篩い部は、他のスクリーンの前記篩い部よりも粗いメッシュとなっており、前記各スクリーンの前記篩い部の他端側に、給気フードと吸引フードとを備えた風力選別部を設け、その風力選別部よりも他端側に排出手段を設け、前記一のスクリーン上に供給された処理物は、その一部が前記一のスクリーンの篩い部のメッシュを通過して前記他のスクリーン上に供給されるとともに、メッシュを通過しない残余の処理物の一部は、前記一のスクリーンに設けた前記風力選別部で前記吸引フードに吸引され、吸引されない残余の処理物は前記一のスクリーンの前記排出手段から外部へ排出され、前記他のスクリーン上に供給された処理物は、その一部が前記他のスクリーンの篩い部のメッシュを通過して次工程へ供給されるとともに、メッシュを通過しない残余の処理物の一部は、前記他のスクリーンに設けた前記風力選別部で前記吸引フードに吸引され、吸引されない残余の処理物は前記他のスクリーンの前記排出手段から外部へ排出されることを特徴とする風力選別機を採用することができる。
【００１５】
また、他の風力選別機の構成としては、一端から他端に向かって下り勾配又は水平に設けられたスクリーンを複数備え、前記各スクリーンはそれぞれ篩い部を備えて、一のスクリーンの前記篩い部は、他のスクリーンの前記篩い部よりも細かいメッシュとなっており、前記各スクリーンの前記篩い部の下方に誘導手段を設け、その誘導手段に、給気フードと吸引フードとを備えた風力選別部を設け、その風力選別部よりも他端側に排出手段を設け、前記一のスクリーン上に供給された処理物は、その一部が前記一のスクリーンの篩い部のメッシュを通過してさらにその通過した処理物の一部が前記一のスクリーン下部の前記誘導手段に設けた前記風力選別部で前記吸引フードに吸引され、吸引されない残余の処理物は、前記一のスクリーンの前記排出手段から外部へ排出され、メッシュを通過しない残余の処理物は、前記他のスクリーン上に供給されるとともに、前記他のスクリーン上に供給された処理物は、その一部が前記他のスクリーンの篩い部のメッシュを通過してさらにその通過した処理物の一部が前記他のスクリーン下部の前記誘導手段に設けた前記風力選別部で前記吸引フードに吸引され、吸引されない残余の処理物は、前記他のスクリーンの前記排出手段から外部へ排出され、メッシュを通過しない残余の処理物は次工程へ供給されることを特徴とする風力選別機を採用することができる。
【００１６】
このように、篩い部を経由させて処理物の粒径を揃えることで、風力選別部において、見掛け比重差の少ない処理物同士の選別が可能になる。すなわち、処理物の粒径が、風力選別部の前段の篩い部によって限定されるから、風力選別部に至る処理物の前記形状係数、前記断面積等が近づく。このため、風力選別部では、その選別が前記形状係数、前記断面積等に依存することなく行われ、僅かに異なる見掛け比重のみに依存して行われることから、処理物の種類毎への選別が高精度になる。
【００１７】
例えば、特に、コンクリート廃材において、骨材とモルタル玉とを選別する場合に、骨材とモルタル玉とは見掛け比重差があまり無いので（見掛け比重の値が近いので）、このように、出来るだけ粒子サイズを揃えることで、前記形状係数、前記断面積等のばらつきを少なくし、選別の精度を高めることができることを確認した。
【００１８】
また、従来の風力選別機では、篩い部を構成するスクリーンが、傾斜方向に連続する一様の面となっており、そのスクリーンの下方は、共通の排出シュートへ通じている。このため、篩い部の穴を下方に向かって通り抜けた処理物を、再度、別の寸法のメッシュからなる篩い部に持ち込むことができなかった。
この点、上記の構成からなる風力選別機によれば、スクリーンが複数あるので、各スクリーンエンド（スクリーンの他端に設けた排出手段）での選別が連続して可能である。
【００１９】
これらの各構成において、前記各スクリーンは、互いに高さの異なる位置に配置されて、前記他のスクリーンが前記一のスクリーンよりも下方に設けられている構成を採用することができる。各スクリーンの高さが異なれば、一のスクリーンから他のスクリーンへの処理物の移送に重力を用いることができる。このため処理物を、次工程へ移動させるための搬送手段が不要である。
【００２０】
なお、スクリーンは、水平であってもよいが、一端から他端に向かって傾斜していることが望ましい。そのスクリーン上において、風力選別部に処理物が送られやすくなるからである。また、スクリーンの篩い部には、周知の機械的手段によりその篩い部に振動を加える装置を備えることができる。
【００２１】
これらの各構成において、前記一のスクリーンの前記風力選別部による処理物の吸引力と、前記他のスクリーンの前記風力選別部による処理物の吸引力とは、異なる強さに設定されている構成を採用することができる。
各スクリーン上において、介在する処理物の粒径は異なるので、そのスクリーン毎に、風力選別部の風力（吸引力）を適切な程度に調整することで、選別の精度をさらに高めることができる。
【００２２】
また、これらの各スクリーンの配置は、例えば、前記他のスクリーンが、前記一のスクリーンの直下の位置よりも他端寄りに配置され、いわゆる階段式に他端側へ処理物が降りていく構成とすることができる。また、他の構成としては、前記他のスクリーンが、前記一のスクリーンの直下に配置され、いわば、上下方向に多重構造となる構成とすることもできる。
【００２３】
なお、これらの各スクリーンの篩い部は、例えば、多孔板や織網で構成されているものを採用することができる。多孔板や織網であれば、安価である。また、多孔板として、パンチングゴム板なども採用できる。
これらの各構成において、スクリーン全体が篩い部で構成されていてもよいし、スクリーンの一部に篩い部が設けられている構成としてもよい。
【００２４】
また、前記各スクリーンの前記風力選別部は、前記給気フードの上端に可撓性のある素材からなるシール部材を備え、そのシール部材を介して前記給気フードが前記各スクリーンの下面に対向している構成を採用することができる。シール部材が可撓性を有するので、スクリーンの篩い部が振動しても、そのスクリーンの下面と給気フードとの間隙が拡がらないように維持され、所定の吸引力が維持されやすい。もちろん、前記シール部材が介在していない構成においても、所期の選別精度を発揮することができる。
【００２５】
なお、このシール部材の素材としては、例えば、ゴムや樹脂を採用することができる。特に、その周面が蛇腹状になった筒状部材（筒軸方向に伸縮自在で、筒軸交差方向にも変形自在な部材）を、給気フードの上端に取付けた構成を採用することができる。
【発明の効果】
【００２６】
この発明は、見掛け比重に大きな差がない複数種類の原料を含む処理物を、その原料毎に高い精度で選別することができる。
【図面の簡単な説明】
【００２７】
【図１】一実施形態の構成を示す断面図
【図２】他の実施形態の構成を示す断面図
【図３】さらに他の実施形態の構成を示す模式図
【発明を実施するための形態】
【００２８】
一実施形態の風力選別機、及び風力選別方法を、図面に基づいて説明する。この実施形態は、廃棄物の選別処理として、特に、コンクリート廃材を処理物とし、そのコンクリート廃材に含まれる骨材とモルタル玉とを風力選別機で選別するものである。一般に、コンクリート廃材に含まれる骨材とモルタル玉とは見掛け比重差が少ない（見掛け比重の値が近い）という傾向がある。
【００２９】
風力選別機１の構成は、図１に示すように、図中左側に示す一端から、右側に示す他端に向かって下り勾配に設けられたスクリーン１０を複数備えている。この実施形態では、前記スクリーン１０は、第一のスクリーン１０ａ、第二のスクリーン１０ｂ、第三のスクリーン１０ｃ、第四のスクリーン１０ｄの４つで構成されている。篩い目（メッシュ）の大きさの異なるスクリーン１０の数は、処理物の種別やその選別の内容に応じて適宜増減して設定することができる。例えば、第一のスクリーン１０ａ、第二のスクリーン１０ｂのみで構成して２段階の選別を行うようにしてもよいし、これを、３段階、この実施形態のように４段階、あるいは、５段階以上としてもよい。これは、後述の各実施形態においても同様である。
【００３０】
前記各スクリーン１０ａ，１０ｂ，１０ｃ，１０ｄは、互いに高さの異なる位置に配置されて、第一のスクリーン１０ａ、第二のスクリーン１０ｂ、第三のスクリーン１０ｃ、第四のスクリーン１０ｄの順に、徐々にその位置が低くなるように階段状に設けられている。
【００３１】
すなわち、前記第二のスクリーン１０ｂは、前記第一のスクリーン１０ａの直下の位置よりも他端寄りに配置されており、前記第一のスクリーン１０ａの他端の下に、第二のスクリーン１０ｂの一端が位置している。
以下、前記第三のスクリーン１０ｃは、前記第二のスクリーン１０ｂの直下の位置よりも他端寄りに配置されており、前記第二のスクリーン１０ｂの他端の下に、第三のスクリーン１０ｃの一端が位置している。また、前記第四のスクリーン１０ｄは、前記第三のスクリーン１０ｃの直下の位置よりも他端寄りに配置されており、前記第三のスクリーン１０ｃの他端の下に、第四のスクリーン１０ｄの一端が位置している。
【００３２】
前記各スクリーン１０ａ，１０ｂ，１０ｃ，１０ｄは、それぞれ所定寸法のメッシュを有する篩い部１１（篩い部１１ａ，１１ｂ，１１ｃ，１１ｄ）を備えている。この実施形態では、篩い部１１を織網で構成しているが、他の素材を用いてもよい。これらの篩い部１１は、図示しない加振装置によって、振動させることができるようになっている。
【００３３】
この実施形態では、第一のスクリーン１０ａの篩い部１１ａは、φ２０のメッシュ（２０ｍｍ以下の粒径の通過を許容する篩い）とし、第二のスクリーン１０ｂの篩い部１１ｂは、φ１５のメッシュ（１５ｍｍ以下の粒径の通過を許容する篩い）とし、第三のスクリーン１０ｃの篩い部１１ｃは、φ１０のメッシュ（１０ｍｍ以下の粒径の通過を許容する篩い）とし、第四のスクリーン１０ｄの篩い部１１ｄは、φ５のメッシュ（５ｍｍ以下の粒径の通過を許容する篩い）としている。
すなわち、下方に（下流側に）位置するスクリーン１０の篩い部１１は、上方に（上流側に）位置するスクリーン１０の篩い部１１よりも細かいメッシュとなっている。
【００３４】
また、前記各スクリーン１０ａ，１０ｂ，１０ｃ，１０ｄの前記篩い部１１ａ，１１ｂ，１１ｃ，１１ｄの他端側に、それぞれ給気フード２１（給気フード２１ａ，２１ｂ，２１ｃ，２１ｄ）と、吸引フード２２（吸引フード２２ａ，２２ｂ，２２ｃ，２２ｄ）とを備えた風力選別部２０（風力選別部２０ａ，２０ｂ，２０ｃ，２０ｄ）が設けられている。また、その風力選別部２０よりも他端側に、それぞれ処理物を外部に排出する機能を有する排出手段１２（排出手段１２ａ，１２ｂ，１２ｃ，１２ｄ）が設けられている。
【００３５】
この風力選別部２０が設けられる部分の前記各スクリーン１０は、表裏を貫通する穴を備え、その穴を通じて空気が上下に流通可能である。この穴は、前記篩い部１１のメッシュで兼用してもよい。以下、各実施形態でも同じ。
【００３６】
図１に基づいて説明すると、第一のスクリーン１０ａの一端には、処理物の導入手段４としてその投入口が備えられている。また、その第一のスクリーン１０ａの他端には、風力選別部２０ａと排出手段１２ａが備えられている。さらに、第一のスクリーン１０ａの直下には、誘導手段１３としての誘導板１３ａが備えられている。誘導板１３ａは、一端から他端に向かって下り勾配であり、その他端が、前記第二のスクリーン１０ｂの一端に接続されている。
【００３７】
第二のスクリーン１０ｂの一端には、前記誘導板１３ａによって導かれた処理物が導入されるようになっている。また、その第二のスクリーン１０ｂの他端には、風力選別部２０ｂと排出手段１２ｂが備えられている。さらに、第二のスクリーン１０ｂの直下には、誘導手段１３としての誘導板１３ｂが備えられている。誘導板１３ｂは、一端から他端に向かって下り勾配であり、その他端が、前記第三のスクリーン１０ｃの一端に接続されている。
【００３８】
第三のスクリーン１０ｃの一端には、前記誘導板１３ｂによって導かれた処理物が導入されるようになっている。また、その第三のスクリーン１０ｃの他端には、風力選別部２０ｃと排出手段１２ｃが備えられている。さらに、第三のスクリーン１０ｃの直下には、誘導手段１３としての誘導板１３ｃが備えられている。誘導板１３ｃは、一端から他端に向かって下り勾配であり、その他端が、前記第四のスクリーン１０ｄの一端に接続されている。
【００３９】
第四のスクリーン１０ｄの一端には、前記誘導板１３ｃによって導かれた処理物が導入されるようになっている。また、その第四のスクリーン１０ｄの他端には、風力選別部２０ｄと排出手段１２ｄが備えられている。さらに、第四のスクリーン１０ｄの直下には、誘導手段１３としての誘導板１３ｄが備えられている。誘導板１３ｄは、一端から他端に向かって下り勾配であり、その他端が、排出シュート１４に接続され、処理物が次工程へ供給できるようになっている。
【００４０】
導入手段４によって第一のスクリーン１０ａ上に供給された処理物は（矢印Ａ参照）、その一部が第一のスクリーン１０ａの篩い部１１ａのメッシュを通過して誘導板１３ａ上に落下し、その後、傾斜に沿って、次工程である第二のスクリーン１０ｂ上に供給される（矢印Ｅ参照）。
【００４１】
また、篩い部１１ａのメッシュを通過しない残余の処理物の一部は、その第一のスクリーン１０ａに設けた風力選別部２０ａで、給気フード２１ａからの送風（矢印Ｂ参照）とともに、吸引フード２２ａからの吸引力によって、その吸引フード２２ａに吸引される（矢印Ｃ参照）。なお、吸引されない残余の処理物は第一のスクリーン１０ａの排出手段１２ａから外部へ排出される（矢印Ｄ参照）。
【００４２】
このとき、吸引フード２２ａに吸引されるのは、φ２０のメッシュを通過しなかった処理物のうち、見掛け比重がわずかに小さいモルタル成分（モルタル玉）が主体である。骨材もわずかに含まれるが、その量は、モルタル成分に比して微小である。このように、モルタル成分のみを吸引できるのは、その風力選別部２０ａの前段で、処理物を篩い部１１ａにかけているからである。
【００４３】
次に、第二のスクリーン１０ｂ上において、その一端に供給された前工程からの処理物は（矢印Ｅ参照）、その一部が第二のスクリーン１０ｂの篩い部１１ｂのメッシュを通過して誘導板１３ｂ上に落下し、その後、傾斜に沿って、次工程である第三のスクリーン１０ｃ上に供給される（矢印Ｉ参照）。
【００４４】
また、篩い部１１ｂのメッシュを通過しない残余の処理物の一部は、その第二のスクリーン１０ｂに設けた風力選別部２０ｂで、給気フード２１ｂからの送風（矢印Ｆ参照）とともに、吸引フード２２ｂからの吸引力によって、その吸引フード２２ｂに吸引される（矢印Ｇ参照）。なお、吸引されない残余の処理物は、第二のスクリーン１０ｂの排出手段１２ｂから外部へ排出される（矢印Ｈ参照）。
【００４５】
このとき、第一のスクリーン１０ａの場合と同様、吸引フード２２ｂに吸引されるのは、φ１５のメッシュを通過しなかった処理物のうち、見掛け比重がわずかに小さいモルタル成分（モルタル玉）が主体である。骨材もわずかに含まれるが、その量は、モルタル成分に比して微小である。このように、モルタル成分のみを吸引できるのは、その風力選別部２０ｂの前段で、処理物を篩い部１１ｂにかけているからである。
【００４６】
さらに、第三のスクリーン１０ｃ上において、その一端に供給された前工程からの処理物は（矢印Ｉ参照）、その一部が第三のスクリーン１０ｃの篩い部１１ｃのメッシュを通過して誘導板１３ｃ上に落下し、その後、傾斜に沿って、次工程である第四のスクリーン１０ｄ上に供給される（矢印Ｍ参照）。
【００４７】
また、篩い部１１ｃのメッシュを通過しない残余の処理物の一部は、その第三のスクリーン１０ｃに設けた風力選別部２０ｃで、給気フード２１ｃからの送風（矢印Ｊ参照）とともに、吸引フード２２ｃからの吸引力によって、その吸引フード２２ｃに吸引される（矢印Ｋ参照）。なお、吸引されない残余の処理物は、第三のスクリーン１０ｃの排出手段１２ｃから外部へ排出される（矢印Ｌ参照）。
【００４８】
このとき、第一のスクリーン１０ａ及び第二のスクリーン１０ｂの場合と同様、吸引フード２２ｃに吸引されるのは、φ１０のメッシュを通過しなかった処理物のうち、見掛け比重がわずかに小さいモルタル成分（モルタル玉）が主体である。
【００４９】
最後に、第四のスクリーン１０ｄ上において、その一端に供給された前工程からの処理物は（矢印Ｍ参照）、その一部が第四のスクリーン１０ｄの篩い部１１ｄのメッシュを通過して誘導板１３ｄ上に落下し、その後、排出シュート１４を通じて次工程に供給される（矢印Ｑ参照）。
【００５０】
また、篩い部１１ｄのメッシュを通過しない残余の処理物の一部は、その第四のスクリーン１０ｄに設けた風力選別部２０ｄで、給気フード２１ｄからの送風（矢印Ｎ参照）とともに、吸引フード２２ｄからの吸引力によって、その吸引フード２２ｄに吸引される（矢印Ｏ参照）。なお、吸引されない残余の処理物は、第四のスクリーン１０ｄの排出手段１２ｄから外部へ排出される（矢印Ｐ参照）。
【００５１】
このとき、吸引フード２２ｄに吸引されるのは、φ５のメッシュを通過しなかった処理物のうち、見掛け比重がわずかに小さいモルタル成分（モルタル玉）が主体である点は同様である。
【００５２】
このように、処理物を、篩い部１１を経由してから風力選別部２０に移行させるので、第一のスクリーン１０ａから第四のスクリーン１０ｄまで、いずれの工程においても、見掛け比重の近接する骨材とモルタル成分とを、高精度で選別することができる。
【００５３】
なお、前記第一のスクリーン１０ａの風力選別部２０ａによる処理物の吸引力と、前記第二のスクリーン１０ｂの風力選別部２０ｂによる処理物の吸引力とを比較すると、相対的に、第二のスクリーン１０ｂにおける風力選別部２０ｂの吸引力の方が、小さく設定されるのが望ましい。また、同様に、前記第二のスクリーン１０ｂの風力選別部２０ｂによる処理物の吸引力と、前記第三のスクリーン１０ｃの風力選別部２０ｃによる処理物の吸引力とを比較すると、相対的に、第三のスクリーン１０ｃにおける風力選別部２０ｃの吸引力の方が、小さく設定されるのが望ましい。さらに、前記第三のスクリーン１０ｃの風力選別部２０ｃによる処理物の吸引力と、前記第四のスクリーン１０ｄの風力選別部２０ｄによる処理物の吸引力とを比較すると、相対的に、第四のスクリーン１０ｄにおける風力選別部２０ｄの吸引力の方が、小さく設定されるのが望ましい。下位のスクリーン１０に向かうにつれて、処理物の粒径は小さくなる傾向があるから、風力選別部２０の吸引力も、徐々に弱くすることができる。
【００５４】
他の実施形態を、図２に示す。この実施形態の風力選別機２は、前記複数のスクリーン１０、すなわち、第一のスクリーン１０ａから第四のスクリーン１０ｄまでを、上下方向に並列に配置したものである。
【００５５】
主たる構成と作用は、前述の実施形態と同様であり、図２中に示す矢印の符号は、図１の実施形態で示す矢印の符号に「’（ダッシュ）」を付けたものが対応している。
【００５６】
なお、この実施形態では、スクリーン１０を上下に並列させたことから、最下段に位置する第四のスクリーン１０ｄを除き、前述の実施形態における誘導手段１３の設置は省略している。すなわち、スクリーン１０自体が、前記誘導手段１３の機能を兼ねている。
【００５７】
また、最下段に位置する第四のスクリーン１０ｄは、その下方に誘導手段１３としての誘導板１３ｄを備える。
この誘導板１３ｄは、排出シュート１４に接続されており、給気フード２１ｅからの送風によって、その誘導板１３ｄ上の処理物が排出シュート１４へ導かれるようになっている。
【００５８】
その他の基本的な構成、作用は、前述の実施形態と同様であるので、説明を省略する。
【００５９】
さらに他の実施形態を図３に示す。この実施形態の風力選別機３は、前述の各実施形態が、篩い部１１のメッシュを通過しなかった処理物に対して、風力選別部２０による選別を行っていたのに対し、反対に、篩い部１１のメッシュを通過した処理物に対して、風力選別部２０による選別を行うものである。
【００６０】
図３に基づいて説明すると、風力選別機３は、水平に設けられたスクリーン１０を複数備えている。この実施形態では、前記スクリーン１０は、第一のスクリーン１０ａ、第二のスクリーン１０ｂ、第三のスクリーン１０ｃの３つで構成されている。スクリーン１０の数は、処理物の種別やその選別の内容に応じて適宜設定することができる点は、前述の各実施形態の場合と同様である。
【００６１】
前記各スクリーン１０ａ，１０ｂ，１０ｃは、互いに同一の高さに配置されて、第一のスクリーン１０ａ、第二のスクリーン１０ｂ、第三のスクリーン１０ｃが、水平方向に並列している。
【００６２】
複数の前記スクリーン１０のうち、第一のスクリーン１０ａと第二のスクリーン１０ｂは、それぞれ所定寸法のメッシュを有する篩い部１１（篩い部１１ａ，１１ｂ）を備えている。第三のスクリーン１０ｃには、篩い部１１は設けられていない。この実施形態においても、篩い部１１を織網で構成しているが、他の素材を用いてもよい。これらの篩い部１１は、図示しない加振装置によって、振動させることができるようになっている。また、処理物を、第一のスクリーン１０ａ、第二のスクリーン１０ｂ、第三のスクリーン１０ｃの順に、下流側に向かって移送させるための搬送手段は、周知の手段を適宜設けることができる。
【００６３】
この実施形態では、処理物は、骨材とモルタル玉とを含むコンクリート廃材であり、その内容は、粒径６ｍｍ〜２０ｍｍの粒状体の集合である。第一のスクリーン１０ａの篩い部１１ａは、φ９のメッシュ（９ｍｍ以下の粒径の通過を許容する篩い）とし、第二のスクリーン１０ｂの篩い部１１ｂは、φ１３のメッシュ（１３ｍｍ以下の粒径の通過を許容する篩い）としている。
すなわち、下流側に位置するスクリーン１０の篩い部１１は、上流側に位置するスクリーン１０の篩い部１１よりも粗いメッシュとなっている。
【００６４】
また、前記第一のスクリーン１０ａ、第二のスクリーン１０ｂは、その下部にそれぞれ誘導手段１３としての誘導板１３ａ，１３ｂを備えている。また、前記第一のスクリーン１０ａ、第二のスクリーン１０ｂ、第三のスクリーン１０ｃは、それぞれその他端に、給気フード２１（給気フード２１ａ，２１ｂ，２１ｃ）と、吸引フード２２（吸引フード２２ａ，２２ｂ，２２ｃ）とを備えた風力選別部２０（風力選別部２０ａ，２０ｂ，２０ｃ）とを備えている。
【００６５】
前記第一のスクリーン１０ａの風力選別部２０ａは、誘導板１３ａの他端部において、その誘導板１３ａ上の処理物を吸引する機能を有する。前記第二のスクリーン１０ｂの風力選別部２０ｂは、誘導板１３ｂの他端部において、その誘導板１３ｂ上の処理物を吸引する機能を有する。前記第三のスクリーン１０ｃの風力選別部２０ｃは、その第三のスクリーン１０ｃの他端部において、その上の処理物を吸引する機能を有する。
【００６６】
また、前記各スクリーン１０ａ，１０ｂ，１０ｃには、その風力選別部２０よりも他端側に、それぞれ処理物を外部に排出する機能を有する排出手段１２ａ，１２ｂ、排出シュート１４が設けられて、処理物を次工程へ供給できるようになっている。
【００６７】
導入手段４によって第一のスクリーン１０ａ上に供給された処理物は（矢印Ａ”参照）、その一部が第一のスクリーン１０ａの篩い部１１ａのメッシュを通過して誘導板１３ａ上に落下する（矢印Ｅ”参照）。
【００６８】
また、篩い部１１ａのメッシュを通過しない残余の処理物の一部は、そのまま、横方向に移動して、次工程である第二のスクリーン１０ｂ上に供給される（矢印Ｄ”参照）。
【００６９】
誘導板１３ａ上に落下した処理物は、その第一のスクリーン１０ａに設けた風力選別部２０ａで、給気フード２１ａからの送風（矢印Ｂ”参照）とともに、吸引フード２２ａからの吸引力によって、その吸引フード２２ａに吸引される（矢印Ｃ”参照）。なお、吸引されない残余の処理物は、第一のスクリーン１０ａが備える排出手段１２ａから外部へ排出される（矢印Ｘ参照）。
【００７０】
このとき、吸引フード２２ａに吸引されるのは、φ９のメッシュを通過した処理物のうち、見掛け比重がわずかに小さいモルタル成分（モルタル玉）が主体である。骨材もわずかに含まれるが、その量は、モルタル成分に比して微小である。
【００７１】
次に、第二のスクリーン１０ｂ上において、その一端に供給された前工程からの処理物は（矢印Ｄ”参照）、その一部が第二のスクリーン１０ｂの篩い部１１ｂのメッシュを通過して誘導板１３ｂ上に落下する（矢印Ｉ”参照）。
【００７２】
また、篩い部１１ａのメッシュを通過しない残余の処理物の一部は、そのまま、横方向に移動して、次工程である第三のスクリーン１０ｃ上に供給される（矢印Ｈ”参照）。
【００７３】
誘導板１３ｂ上に落下した処理物は、その第二のスクリーン１０ｂに設けた風力選別部２０ｂで、給気フード２１ｂからの送風（矢印Ｆ”参照）とともに、吸引フード２２ｂからの吸引力によって、その吸引フード２２ｂに吸引される（矢印Ｇ”参照）。なお、吸引されない残余の処理物は、第二のスクリーン１０ｂが備える排出手段１２ｂから外部へ排出される（矢印Ｙ参照）。
【００７４】
このとき、吸引フード２２ｂに吸引されるのは、φ１３のメッシュを通過した処理物のうち、見掛け比重がわずかに小さいモルタル成分（モルタル玉）が主体である。骨材もわずかに含まれるが、その量は、モルタル成分に比して微小である。
【００７５】
また、第三のスクリーン１０ｃ上において、その一端に供給された前工程からの処理物は（矢印Ｈ”参照）、その第三のスクリーン１０ｃに設けた風力選別部２０ｃで、給気フード２１ｃからの送風（矢印Ｊ”参照）とともに、吸引フード２２ｃらの吸引力によって、その吸引フード２２ｃに吸引される（矢印Ｋ”参照）。なお、吸引されない残余の処理物は、第三のスクリーン１０ｃの排出シュート１４から次工程へ供給される（矢印Ｚ参照）。
【００７６】
このとき、吸引フード２２ｃに吸引されるのは、φ１３のメッシュを通過しなかった処理物のうち、見掛け比重がわずかに小さいモルタル成分（モルタル玉）が主体である。骨材もわずかに含まれるが、その量は、モルタル成分に比して微小である。
【００７７】
なお、前記第一のスクリーン１０ａの風力選別部２０ａによる処理物の吸引力と、前記第二のスクリーン１０ｂの風力選別部２０ｂによる処理物の吸引力とを比較すると、相対的に、第二のスクリーン１０ｂにおける風力選別部２０ｂの吸引力の方が、大きく設定されるのが望ましい。また、同様に、前記第二のスクリーン１０ｂの風力選別部２０ｂによる処理物の吸引力と、前記第三のスクリーン１０ｃの風力選別部２０ｃによる処理物の吸引力とを比較すると、相対的に、第三のスクリーン１０ｃにおける風力選別部２０ｃの吸引力の方が、大きく設定されるのが望ましい。
【００７８】
また、この実施形態において、前記各スクリーン１０ａ，１０ｂ，１０ｃの風力選別部２０ａ，２０ｂ，２０ｃは、その給気フード２１ａ，２１ｂ，２１ｃの上端に、可撓性のある素材からなるシール部材２３を備えている。
【００７９】
シール部材２３を介して、給気フード２１ａ，２１ｂ，２１ｃが前記各スクリーン１０ａ，１０ｂ，１０ｃの下面に密着し、そのシール部材が可撓性を有するので、スクリーン１０ａ，１０ｂ，１０ｃが振動しても、そのスクリーン１０ａ，１０ｂ，１０ｃの下面と給気フード２１ａ，２１ｂ，２１ｃとの密着が維持され、所定の吸引力が維持されやすい。
【００８０】
このシール部材２３の素材としては、例えば、ゴムや樹脂のチューブ等の筒状部材を採用することができる。特に、そのチューブの周面が蛇腹状になった素材（筒軸方向に伸縮自在で、筒軸交差方向にも変形自在な部材）を、給気フード２１ａ，２１ｂ，２１ｃの上端に取付けた構成を採用することができる。このシール部材２３は、前述のいずれの実施形態においても、採用することができる。
【００８１】
また、前述の各実施形態において、給気フード２１の出口に、整流板又は整流の機能を有する抵抗板を取り付けた構成を採用することができる。この構成によれば、スクリーン１０や誘導手段１３上の処理物に向かって、均等で安定した噴流を確保することができる。
【００８２】
上記の各実施形態では、篩い部１１のメッシュの粗さの異なる複数のスクリーン１０；１０ａ，１０ｂ・・・や、その各スクリーン１０；１０ａ，１０ｂ・・・に対応する給気フード２１；２１ａ，２１ｂ・・・と吸引フード２２；２２ａ，２２ｂ・・・とを備えた風力選別部２０；２０ａ，２０ｂ・・・、あるいは、その風力選別部２０；２０ａ，２０ｂ・・・よりも他端側（終端側）に設けられる排出手段１２；１２ａ，１２ｂ・・・等の各要素を一つの風力選別装置として一体に設けたが、これらの装置を構成する各要素は、一体の装置ではなく、別々に分離した装置で構成されていてもよい。
【００８３】
また、これらの各実施形態の風力選別機１，２，３以外の装置を用いても、この発明の風力選別方法を実施することができる。
【００８４】
その風力選別方法の構成は、篩い部１１のメッシュの粗さの異なる複数のスクリーン１０；１０ａ，１０ｂ・・・と、給気フード２１；２１ａ，２１ｂ・・・と吸引フード２２；２２ａ，２２ｂ・・・とを備えた風力選別部２０；２０ａ，２０ｂ・・・を用い、一のスクリーン１０ａ上に供給された処理物を、前記一のスクリーン１０ａの篩い部１１ａのメッシュを通過するものと通過しないものとに分離する工程と、前記一のスクリーン１０ａの篩い部１１ａのメッシュを通過した処理物を、相対的にメッシュの細かい篩い部１１ｂを備えた他のスクリーン１０ｂ上に供給する工程と、前記一のスクリーン１０ａの篩い部１１ａのメッシュを通過しなかった処理物に対して風力選別を行う工程と、前記他のスクリーン１０ｂ上に供給された処理物を、前記他のスクリーン１０ｂの篩い部１１ｂのメッシュを通過するものと通過しないものとに分離する工程と、前記他のスクリーン１０ｂの篩い部１１ｂのメッシュを通過した処理物を次工程に供給する工程と、前記他のスクリーン１０ｂの篩い部１１ｂのメッシュを通過しなかった処理物に対して風力選別を行う工程とを備えたことを特徴とする風力選別方法である。
【００８５】
あるいは、篩い部１１のメッシュの粗さの異なる複数のスクリーン１０；１０ａ，１０ｂ・・・と、給気フード２１；２１ａ，２１ｂ・・・と吸引フード２２；２２ａ，２２ｂ・・・とを備えた風力選別部２０；２０ａ，２０ｂ・・・を用い、一のスクリーン１０ａ上に供給された処理物を、前記一のスクリーン１０ａの篩い部１１ａのメッシュを通過するものと通過しないものとに分離する工程と、前記一のスクリーン１０ａの篩い部１１ａのメッシュを通過しなかった処理物を、相対的にメッシュの粗い篩い部１１ｂを備えた他のスクリーン１０ｂ上に供給する工程と、前記一のスクリーン１０ａの篩い部１１ａのメッシュを通過した処理物に対して風力選別を行う工程と、前記他のスクリーン１０ｂ上に供給された処理物を、前記他のスクリーン１０ｂの篩い部１１ｂのメッシュを通過するものと通過しないものとに分離する工程と、前記他のスクリーン１０ｂの篩い部１１ｂのメッシュを通過しなかった処理物を次工程に供給する工程と、前記他のスクリーン１０ｂの篩い部１１ｂのメッシュを通過した処理物に対して風力選別を行う工程とを備えたことを特徴とする風力選別方法である。
【００８６】
このとき、これらの風力選別方法の各工程に関わる装置は、風力選別機を構成する一体の装置として組み込まれていてもよいし、物理的に離れた箇所に設けられた別々の装置によって風力選別方法が実施されるようにしてもよい。また、その工程間における処理物を移送させる手段、及び、各工程における処理物の投入手段、排出手段は、周知の技術を採用できる。また、これらの移送、投入、排出を手作業で行うことも可能である。
【符号の説明】
【００８７】
１，２，３  風力選別機
４  導入手段
１０，１０ａ，１０ｂ，１０ｃ・・・  スクリーン
１１，１１ａ，１１ｂ，１１ｃ・・・  篩い部
１２，１２ａ，１２ｂ，１２ｃ・・・  排出手段
１３  誘導手段
１３ａ，１３ｂ，１３ｃ，１３ｄ・・・  誘導板
１４  排出シュート
２０，２０ａ，２０ｂ，２０ｃ・・・  風力選別部
２１，２１ａ，２１ｂ，２１ｃ・・・  給気フード
２２，２２ａ，２２ｂ，２２ｃ・・・  吸引フード
２３  シール部材
【図１】
2011194277.tif 000003
【図２】
2011194277.tif 000004
【図３】
2011194277.tif 000005